(57)【要約】【課題】拡張現実ベースのサイバー危機対応訓練提供装置および方法が開示される。【解決手段】本発明に係る拡張現実ベースのサイバー危機対応訓練提供装置によって行われる拡張現実ベースのサイバー危機対応訓練提供方法は、サイバー危機対応訓練の種類を設定するステップと、設定された前記サイバー危機対応訓練の種類に相応するサイバー危機対応訓練環境を１つ以上の訓練者端末に提供するステップと、前記訓練者端末から前記サイバー危機対応訓練環境への対応を受信するステップと、前記サイバー危機対応訓練環境および前記対応に相応する訓練状況情報と前記サイバー危機対応訓練の対象となる対象施設の状態情報に基づいて、施設状況情報を生成するステップと、前記対象施設に相応する拡張現実イメージを用いて、前記施設状況情報を出力するステップとを含む。【選択図】図２
2019020702.tif 000002
【特許請求の範囲】
【請求項１】
拡張現実ベースのサイバー危機対応訓練提供装置によって行われる拡張現実ベースのサイバー危機対応訓練提供方法において、
サイバー危機対応訓練の種類を設定するステップと、
設定された前記サイバー危機対応訓練の種類に相応するサイバー危機対応訓練環境を１つ以上の訓練者端末に提供するステップと、
前記訓練者端末から前記サイバー危機対応訓練環境への対応を受信するステップと、
前記サイバー危機対応訓練環境および前記対応に相応する訓練状況情報と前記サイバー危機対応訓練の対象となる対象施設の状態情報に基づいて、施設状況情報を生成するステップと、
前記対象施設に相応する拡張現実イメージを用いて、前記施設状況情報を出力するステップとを含む拡張現実ベースのサイバー危機対応訓練提供方法。
【請求項２】
前記施設状況情報を生成するステップは、
前記サイバー危機対応訓練環境および前記訓練者端末の前記対応に基づいて、訓練状況が正常状況であるか、攻撃発生状況であるかを判断して前記訓練状況情報を生成することを特徴とする請求項１に記載の拡張現実ベースのサイバー危機対応訓練提供方法。
【請求項３】
前記施設状況情報を生成するステップは、
前記対象施設の状態情報に前記訓練状況情報を反映して、前記サイバー危機対応訓練に応じた前記対象施設の前記施設状況情報を生成することを特徴とする請求項２に記載の拡張現実ベースのサイバー危機対応訓練提供方法。
【請求項４】
前記施設状況情報を出力するステップは、
前記訓練者端末、出力装置および訓練者が着用した着用型ディスプレイ装置の少なくともいずれか１つを用いて、前記施設状況情報を出力することを特徴とする請求項１に記載の拡張現実ベースのサイバー危機対応訓練提供方法。
【請求項５】
前記施設状況情報を出力するステップは、
前記施設状況情報に相応する仮想オブジェクトと、前記対象施設に相応する映像とを合成した前記拡張現実イメージを出力することを特徴とする請求項４に記載の拡張現実ベースのサイバー危機対応訓練提供方法。
【請求項６】
前記施設状況情報を出力するステップは、
前記対象施設に相応する映像を処理するステップと、
前記訓練者の視点および位置の少なくともいずれか１つを把握するステップと、
前記訓練状況情報、前記訓練者の視点および位置の少なくともいずれか１つを考慮して、前記対象施設に相応する前記仮想オブジェクトを生成するステップと、
生成された前記仮想オブジェクトを前記映像に合成して前記拡張現実イメージを生成するステップとを含むことを特徴とする請求項５に記載の拡張現実ベースのサイバー危機対応訓練提供方法。
【請求項７】
前記サイバー危機対応訓練の種類を設定するステップは、
前記サイバー危機対応訓練を実施する前記対象施設を設定することを特徴とする請求項１に記載の拡張現実ベースのサイバー危機対応訓練提供方法。
【請求項８】
前記施設状況情報を出力するステップは、
前記施設状況情報に相応するように、前記対象施設に含まれた物理的設備および制御設備の少なくともいずれか１つの情報を出力することを特徴とする請求項１に記載の拡張現実ベースのサイバー危機対応訓練提供方法。
【請求項９】
１つ以上の訓練者端末にサイバー危機対応訓練の種類に相応するサイバー危機対応訓練環境を提供する訓練環境提供部と、
前記訓練者端末から前記サイバー危機対応訓練環境への対応が入力される対応入力部と、
前記サイバー危機対応訓練環境および前記対応に相応する訓練状況情報と前記サイバー危機対応訓練の対象となる対象施設の状態情報に基づいて、施設状況情報を生成する施設状況情報生成部と、
前記対象施設に相応する拡張現実イメージを用いて、前記施設状況情報を出力する施設状況情報出力部とを含む拡張現実ベースのサイバー危機対応訓練提供装置。
【請求項１０】
前記施設状況情報生成部は、
前記サイバー危機対応訓練環境および前記訓練者端末の前記対応に基づいて、訓練状況が正常状況であるか、攻撃発生状況であるかを判断して前記訓練状況情報を生成することを特徴とする請求項９に記載の拡張現実ベースのサイバー危機対応訓練提供装置。
【請求項１１】
前記施設状況情報生成部は、
前記対象施設の状態情報に前記訓練状況情報を反映して、前記サイバー危機対応訓練に応じた前記対象施設の前記施設状況情報を生成することを特徴とする請求項１０に記載の拡張現実ベースのサイバー危機対応訓練提供装置。
【請求項１２】
前記施設状況情報出力部は、
前記訓練者端末、出力装置および訓練者が着用した着用型ディスプレイ装置の少なくともいずれか１つを用いて、前記施設状況情報を出力することを特徴とする請求項９に記載の拡張現実ベースのサイバー危機対応訓練提供装置。
【請求項１３】
前記施設状況情報出力部は、
前記施設状況情報に相応する仮想オブジェクトと、前記対象施設に相応する映像とを合成した前記拡張現実イメージを出力することを特徴とする請求項１２に記載の拡張現実ベースのサイバー危機対応訓練提供装置。
【請求項１４】
前記施設状況情報出力部は、
前記対象施設に相応する映像を処理し、前記訓練者の視点および位置の少なくともいずれか１つを把握し、前記訓練状況情報、前記訓練者の視点および位置の少なくともいずれか１つを考慮して、前記対象施設に相応する前記仮想オブジェクトを生成し、生成された前記仮想オブジェクトを前記映像に合成して前記拡張現実イメージを生成することを特徴とする請求項１３に記載の拡張現実ベースのサイバー危機対応訓練提供装置。
【請求項１５】
前記サイバー危機対応訓練を実施する前記対象施設を設定して、前記サイバー危機対応訓練の種類を設定する訓練種類設定部をさらに含むことを特徴とする請求項９に記載の拡張現実ベースのサイバー危機対応訓練提供装置。
【請求項１６】
前記施設状況情報出力部は、
前記施設状況情報に相応するように、前記対象施設に含まれた物理的設備および制御設備の少なくともいずれか１つの情報を出力することを特徴とする請求項９に記載の拡張現実ベースのサイバー危機対応訓練提供装置。
【請求項１７】
１つ以上の訓練者端末と、
前記訓練者端末にサイバー危機対応訓練の環境を提供し、前記訓練者端末から前記サイバー危機対応訓練の環境への対応を受信し、前記対応に応じた訓練状況情報および前記サイバー危機対応訓練の対象となる対象施設の状態情報に基づいて、施設状況情報を生成する拡張現実ベースのサイバー危機対応訓練提供装置と、
前記対象施設に相応する拡張現実イメージを用いて、前記施設状況情報を出力する第１施設状況情報出力装置と、
前記施設状況情報に基づいて、前記対象施設に含まれた物理的設備および制御設備の少なくともいずれか１つの設備に関する情報を出力する第２施設状況情報出力装置とを含む拡張現実ベースのサイバー危機対応訓練提供システム。
【請求項１８】
前記拡張現実ベースのサイバー危機対応訓練提供装置は、
前記サイバー危機対応訓練の環境および前記訓練者端末の前記対応に基づいて、訓練状況が正常状況であるか、攻撃発生状況であるかを判断して前記訓練状況情報を生成し、前記対象施設の状態情報に前記訓練状況情報を反映して、前記サイバー危機対応訓練に応じた前記対象施設の前記施設状況情報を生成することを特徴とする請求項１７に記載の拡張現実ベースのサイバー危機対応訓練提供システム。
【請求項１９】
前記第１施設状況情報出力装置は、
前記サイバー危機対応訓練の訓練者が着用する着用型ディスプレイ装置であることを特徴とする請求項１８に記載の拡張現実ベースのサイバー危機対応訓練提供システム。
【請求項２０】
前記対象施設に相応する拡張現実イメージは、
前記訓練状況情報、前記対象施設の情報、前記訓練者の視点および位置の少なくともいずれか１つを考慮して生成された仮想オブジェクトと、前記対象施設に相応する映像とが合成された形態であることを特徴とする請求項１９に記載の拡張現実ベースのサイバー危機対応訓練提供システム。
【発明の詳細な説明】
【技術分野】
【０００１】
本発明は、拡張現実をベースとしてサイバー危機対応訓練を提供する技術に関し、特に、サイバー危機対応訓練に応じた施設状況情報を拡張現実技術を用いて出力する技術に関する。
【背景技術】
【０００２】
最近、情報通信技術の発達および情報通信機器の普及に伴い、ネットワークに接続されたシステムに対するサイバー脅威がますます増加している。また、このようなサイバー脅威に対応するための訓練の必要性が台頭している。
【０００３】
既存のサイバー脅威に関する教育は、一方的な講義方式で進められる場合が多く、理論中心の一方向の教育であるか、訓練シナリオ予告制方式の教育で進められていた。そして、既存のサイバーセキュリティー関連教育は、個人ＰＣ、ウェブサーバ、ＤＢサーバなどの一般的なＩＴシステムを保護対象とし、保護対象となる一般的なＩＴシステムを物理的に構築したり、仮想で構築して環境を提供する形態で動作した。また、サイバー脅威による被害状況は、ホームページの改ざんやサービス不可状態などの方法を利用して表現した。
【０００４】
最近は、電力、道路、原子力、鉄道などの国家基盤施設を対象とするサイバー脅威に対するケースが増加するにつれ、基盤施設に対するサイバー脅威への警戒心と認識が高まった。これによって、国家基盤施設のような物理的保護施設が存在する領域でのサイバー脅威に対する対応訓練の必要性が台頭している。
【０００５】
既存の仮想環境でのみ行う教育は、モータやセンサなどの単一制御機器を簡略に構成しておき、単位機器に対する教育を行う。そして、単一脅威に対してのみ教育が行われるため、訓練者が全体的な流れを把握しにくい。
【０００６】
また、国家基盤施設の制御システムは、一般的なＩＴシステムとは異なって実際の物理装備を制御する。したがって、サイバー危機の発生時、装備制御の失敗によって大規模な人命被害を伴う事故が発生し得る。しかし、既存の教育や訓練方式では、制御システムのサイバー危機発生時の被害状況を表現することが難しい。
【０００７】
したがって、物理的保護施設が存在する領域で発生するサイバー危機に対応できるように訓練環境を提供する技術の開発が必要である。
【先行技術文献】
【特許文献】
【０００８】
【特許文献１】韓国登録特許第１０−１５３４１９２号公報
【発明の概要】
【発明が解決しようとする課題】
【０００９】
本発明の目的は、物理的保護施設が存在する領域でのサイバー危機に対応できるように訓練環境を提供することである。
【００１０】
また、本発明の目的は、物理的保護施設が存在する機関、会社、国などを対象とするサイバー危機状況に対応できるように、サイバー危機対応訓練環境を提供することである。
【００１１】
また、本発明の目的は、サイバー危機発生状況における体系的な対応能力を確保できるようにすることである。
【００１２】
また、本発明の目的は、拡張現実技術を適用して、訓練者の訓練没入度および成果を極大化することである。
【００１３】
さらに、本発明の目的は、拡張現実技術および物理的装置を用いて物理的保護施設を表現する施設状況情報出力装置と有機的に連動する訓練システムを提供することである。
【００１４】
なお、本発明の目的は、国家基盤施設や産業制御システムなどの領域に対するサイバー危機対応能力の増大により、国と産業のサイバー危機対応能力を確保することである。
【課題を解決するための手段】
【００１５】
上記の目的を達成するための、本発明に係る拡張現実ベースのサイバー危機対応訓練提供装置によって行われる拡張現実ベースのサイバー危機対応訓練提供方法は、サイバー危機対応訓練の種類を設定するステップと、設定された前記サイバー危機対応訓練の種類に相応するサイバー危機対応訓練環境を１つ以上の訓練者端末に提供するステップと、前記訓練者端末から前記サイバー危機対応訓練環境への対応を受信するステップと、前記サイバー危機対応訓練環境および前記対応に相応する訓練状況情報と前記サイバー危機対応訓練の対象となる対象施設の状態情報に基づいて、施設状況情報を生成するステップと、前記対象施設に相応する拡張現実イメージを用いて、前記施設状況情報を出力するステップとを含む。
【００１６】
この時、前記施設状況情報を生成するステップは、前記サイバー危機対応訓練環境および前記訓練者端末の前記対応に基づいて、訓練状況が正常状況であるか、攻撃発生状況であるかを判断して前記訓練状況情報を生成することができる。
【００１７】
この時、前記施設状況情報を生成するステップは、前記対象施設の状態情報に前記訓練状況情報を反映して、前記サイバー危機対応訓練に応じた前記対象施設の前記施設状況情報を生成することができる。
【００１８】
この時、前記施設状況情報を出力するステップは、前記訓練者端末、出力装置および訓練者が着用した着用型ディスプレイ装置の少なくともいずれか１つを用いて、前記施設状況情報を出力することができる。
【００１９】
この時、前記施設状況情報を出力するステップは、前記施設状況情報に相応する仮想オブジェクトと、前記対象施設に相応する映像とを合成した前記拡張現実イメージを出力することができる。
【００２０】
この時、前記施設状況情報を出力するステップは、前記対象施設に相応する映像を処理するステップと、前記訓練者の視点および位置の少なくともいずれか１つを把握するステップと、前記訓練状況情報、前記訓練者の視点および位置の少なくともいずれか１つを考慮して、前記対象施設に相応する前記仮想オブジェクトを生成するステップと、生成された前記仮想オブジェクトを前記映像に合成して前記拡張現実イメージを生成するステップとを含むことができる。
【００２１】
この時、前記サイバー危機対応訓練の種類を設定するステップは、前記サイバー危機対応訓練を実施する前記対象施設を設定することができる。
【００２２】
この時、前記施設状況情報を出力するステップは、前記施設状況情報に相応するように、前記対象施設に含まれた物理的設備および制御設備の少なくともいずれか１つの情報を出力することができる。
【００２３】
また、本発明の一実施形態に係る拡張現実ベースのサイバー危機対応訓練提供装置は、１つ以上の訓練者端末にサイバー危機対応訓練の種類に相応するサイバー危機対応訓練環境を提供する訓練環境提供部と、前記訓練者端末から前記サイバー危機対応訓練環境への対応が入力される対応入力部と、前記サイバー危機対応訓練環境および前記対応に相応する訓練状況情報と前記サイバー危機対応訓練の対象となる対象施設の状態情報に基づいて、施設状況情報を生成する施設状況情報生成部と、前記対象施設に相応する拡張現実イメージを用いて、前記施設状況情報を出力する施設状況情報出力部とを含む。
【００２４】
この時、前記施設状況情報生成部は、前記サイバー危機対応訓練環境および前記訓練者端末の前記対応に基づいて、訓練状況が正常状況であるか、攻撃発生状況であるかを判断して前記訓練状況情報を生成することができる。
【００２５】
この時、前記施設状況情報生成部は、前記対象施設の状態情報に前記訓練状況情報を反映して、前記サイバー危機対応訓練に応じた前記対象施設の前記施設状況情報を生成することができる。
【００２６】
この時、前記施設状況情報出力部は、前記訓練者端末、出力装置および訓練者が着用した着用型ディスプレイ装置の少なくともいずれか１つを用いて、前記施設状況情報を出力することができる。
【００２７】
この時、前記施設状況情報出力部は、前記施設状況情報に相応する仮想オブジェクトと、前記対象施設に相応する映像とを合成した前記拡張現実イメージを出力することができる。
【００２８】
この時、前記施設状況情報出力部は、前記対象施設に相応する映像を処理し、前記訓練者の視点および位置の少なくともいずれか１つを把握し、前記訓練状況情報、前記訓練者の視点および位置の少なくともいずれか１つを考慮して、前記対象施設に相応する前記仮想オブジェクトを生成し、生成された前記仮想オブジェクトを前記映像に合成して前記拡張現実イメージを生成することができる。
【００２９】
この時、前記サイバー危機対応訓練を実施する前記対象施設を設定して、前記サイバー危機対応訓練の種類を設定する訓練種類設定部をさらに含んでもよい。
【００３０】
この時、前記施設状況情報出力部は、前記施設状況情報に相応するように、前記対象施設に含まれた物理的設備および制御設備の少なくともいずれか１つの情報を出力することができる。
【００３１】
また、本発明の一実施形態に係る拡張現実ベースのサイバー危機対応訓練提供システムは、１つ以上の訓練者端末と、前記訓練者端末にサイバー危機対応訓練環境を提供し、前記訓練者端末から前記サイバー危機対応訓練環境への対応を受信し、前記対応に応じた訓練状況情報および前記サイバー危機対応訓練の対象となる対象施設の状態情報に基づいて、施設状況情報を生成する拡張現実ベースのサイバー危機対応訓練提供装置と、前記対象施設に相応する拡張現実イメージを用いて、前記施設状況情報を出力する第１施設状況情報出力装置と、前記施設状況情報に基づいて、前記対象施設に含まれた物理的設備および制御設備の少なくともいずれか１つの設備に関する情報を出力する第２施設状況情報出力装置とを含む。
【００３２】
この時、前記拡張現実ベースのサイバー危機対応訓練提供装置は、前記サイバー危機対応訓練環境および前記訓練者端末の前記対応に基づいて、訓練状況が正常状況であるか、攻撃発生状況であるかを判断して前記訓練状況情報を生成し、前記対象施設の状態情報に前記訓練状況情報を反映して、前記サイバー危機対応訓練に応じた前記対象施設の前記施設状況情報を生成することができる。
【００３３】
この時、前記第１施設状況情報出力装置は、前記サイバー危機対応訓練の訓練者が着用する着用型ディスプレイ装置であってもよい。
【００３４】
この時、前記対象施設に相応する拡張現実イメージは、前記訓練状況情報、前記対象施設の情報、前記訓練者の視点および位置の少なくともいずれか１つを考慮して生成された仮想オブジェクトと、前記対象施設に相応する映像とが合成された形態であってもよい。
【発明の効果】
【００３５】
本発明によれば、物理的保護施設が存在する領域でのサイバー危機に対応できるように訓練環境を提供することができる。
【００３６】
また、本発明によれば、物理的保護施設が存在する機関、会社、国などを対象とするサイバー危機状況に対応できるように、サイバー危機対応訓練環境を提供することができる。
【００３７】
また、本発明によれば、サイバー危機発生状況における体系的な対応能力を確保することができる。
【００３８】
また、本発明によれば、拡張現実技術を適用して、訓練者の訓練没入度および成果を極大化することができる。
【００３９】
さらに、本発明によれば、拡張現実技術および物理的装置を用いて物理的保護施設を表現する施設状況情報出力装置と有機的に連動する訓練システムを提供することができる。
【００４０】
なお、本発明によれば、国家基盤施設や産業制御システムなどの領域に対するサイバー危機対応能力の増大により、国と産業のサイバー危機対応能力を確保することができる。
【図面の簡単な説明】
【００４１】
【図１】本発明の一実施形態に係る拡張現実ベースのサイバー危機対応訓練提供装置が適用される環境を概略的に示す図である。
【図２】本発明の一実施形態に係る拡張現実ベースのサイバー危機対応訓練提供装置の構成を示すブロック図である。
【図３】本発明の一実施形態に係る拡張現実ベースのサイバー危機対応訓練提供方法を説明するためのフローチャートである。
【図４】図３のＳ３６０ステップで施設状況情報を出力する方法を示す例示図である。
【図５】本発明の一実施形態に係る拡張現実ベースのサイバー危機対応訓練提供システムの動作を示すフローチャートである。
【図６】本発明の他の実施形態に係る拡張現実ベースのサイバー危機対応訓練提供システムの構成を示す例示図である。
【発明を実施するための形態】
【００４２】
本発明は、多様な変更を加えられて様々な実施形態を有し得るが、特定の実施形態を図面に例示して詳細に説明する。
【００４３】
しかし、これは、本発明を特定の実施形態に対して限定しようとするものではなく、本発明の思想および技術範囲に含まれるあらゆる変更、均等物乃至代替物を含むことが理解されなければならない。
【００４４】
本出願で使った用語は単に特定の実施形態を説明するために使用されたものであり、本発明を限定しようとする意図はない。単数の表現は、文脈上明らかに異なって意味しない限り、複数の表現を含む。本出願において、「含む」または「有する」などの用語は、明細書上に記載の特徴、数字、段階、動作、構成要素、部品またはこれらを組み合わせたものが存在することを指定しようとするものであり、１つまたはそれ以上の他の特徴や数字、段階、動作、構成要素、部品またはこれらを組み合わせたものの存在または付加の可能性を予め排除しないことが理解されなければならない。
【００４５】
別途に定義されない限り、技術的または科学的な用語を含む、ここで使われるすべての用語は、本発明の属する技術分野における通常の知識を有する者によって一般的に理解されるのと同じ意味を有する。一般的に使われる辞書に定義されているような用語は、関連技術の文脈上有する意味と一致する意味を有すると解釈されなければならず、本出願で明らかに定義しない限り、理想的または過度に形式的な意味で解釈されない。
【００４６】
以下、添付した図面を参照して、本発明の好ましい実施形態をより詳細に説明する。本発明を説明するにあたり、全体的な理解を容易にするために、図面上の同一の構成要素については同一の参照符号を用い、同一の構成要素について重複した説明は省略する。
【００４７】
図１は、本発明の一実施形態に係る拡張現実ベースのサイバー危機対応訓練提供装置が適用される環境を概略的に示す図である。
【００４８】
図１に示しているように、拡張現実ベースのサイバー危機対応訓練提供システムは、１つ以上の訓練者端末１００と、拡張現実ベースのサイバー危機対応訓練提供装置２００と、１つ以上の施設状況情報出力装置３１０、３２０とを含む。
【００４９】
訓練者端末１００は、訓練者が拡張現実ベースのサイバー危機対応訓練提供装置２００への接続時に用いる端末を意味する。そして、拡張現実ベースのサイバー危機対応訓練提供装置２００は、１つ以上の訓練者端末１００にサイバー危機対応訓練環境を提供し、訓練者端末１００からサイバー危機対応訓練環境への対応を受信する。
【００５０】
また、拡張現実ベースのサイバー危機対応訓練提供装置２００は、サイバー危機対応訓練環境および訓練者の対応に相応する訓練状況情報、サイバー危機対応訓練の対象となる対象施設の状態情報の少なくともいずれか１つに基づいて、施設状況情報を生成する。
【００５１】
そして、拡張現実ベースのサイバー危機対応訓練提供装置２００は、第１施設状況情報出力装置３１０および第２施設状況情報出力装置３２０の少なくともいずれか１つの施設状況情報出力装置を用いて、施設状況情報を出力する。
【００５２】
第１施設状況情報出力装置３１０は、対象施設に相応する拡張現実イメージを用いて、施設状況情報を出力する出力装置を意味する。そして、第２施設状況情報出力装置３２０は、対象施設に含まれた物理的設備および制御設備の少なくともいずれか１つの設備に関する情報を出力する出力装置を意味する。
【００５３】
最近、ハードウェアとソフトウェアの性能向上に後押しされて飛躍的に発展する拡張現実技術は、カメラで撮影された実映像に、特定情報に基づいて仮想のオブジェクトを拡張する技術を意味する。拡張された仮想のオブジェクトは、３Ｄモデリングにより生成されたオブジェクトであるか、特定情報を付け加えて表現したオブジェクトであってもよい。
【００５４】
この時、指定された形態のマーカーを付着させて映像から特定情報を抽出するマーカーベースの方式、およびマーカーを用いずに特定情報を抽出するマーカーレス方式などで特定情報を抽出することができ、拡張現実ベースのサイバー危機対応訓練提供システムに適用される拡張現実技術はこれに限定されない。
【００５５】
本発明の一実施形態に係る拡張現実ベースのサイバー危機対応訓練提供装置２００は、第１施設状況情報出力装置３１０を用いて、物理的保護施設（物理的設備、制御設備など）とその被害状況をより効果的に表現することができ、これを通じて、訓練者に生動感ある現実的なサイバー危機対応訓練を提供することができる。
【００５６】
以下、図２を通じて、本発明の一実施形態に係る拡張現実ベースのサイバー危機対応訓練提供装置の構成についてより詳細に説明する。
【００５７】
図２は、本発明の一実施形態に係る拡張現実ベースのサイバー危機対応訓練提供装置の構成を示すブロック図である。
【００５８】
図２に示しているように、拡張現実ベースのサイバー危機対応訓練提供装置２００は、訓練種類設定部２１０と、訓練環境提供部２２０と、対応入力部２３０と、施設状況情報生成部２４０と、施設状況情報出力部２５０とを含む。
【００５９】
まず、訓練種類設定部２１０は、サイバー危機対応訓練の種類を設定する。ここで、サイバー危機対応訓練の種類を設定することは、サイバー危機対応訓練を実施する対象施設を設定することを意味することができる。
【００６０】
サイバー危機対応訓練の開始時、訓練種類設定部２１０は、訓練者に応じてサイバー危機対応訓練の種類を設定することができる。この時、訓練種類設定部２１０は、訓練者に応じて組（Ｇｒｏｕｐ）を分配して、サイバー危機対応訓練の種類を設定することができる。例えば、Ａ組は電力分野のサイバー危機対応訓練を行い、Ｂ組は海洋分野のサイバー危機対応訓練を行うものと設定されていてよい。
【００６１】
そして、訓練環境提供部２２０は、１つ以上の訓練者端末にサイバー危機対応訓練の種類に相応するサイバー危機対応訓練環境を提供する。
【００６２】
訓練者は、提供されるサイバー危機対応訓練環境で、サイバー攻撃の探知、初動措置などの対応を行う。これによって、対応入力部２３０は、訓練者の訓練者端末からサイバー危機対応訓練環境への対応を受信する。
【００６３】
また、施設状況情報生成部２４０は、サイバー危機対応訓練環境および訓練者の対応に相応する訓練状況情報とサイバー危機対応訓練の対象となる対象施設の状態情報に基づいて、施設状況情報を生成する。
【００６４】
この時、施設状況情報生成部２４０は、サイバー危機対応訓練環境および訓練者の対応に基づいて、訓練状況が正常状況であるか、攻撃発生状況であるかを判断して訓練状況情報を生成することができる。
【００６５】
また、施設状況情報生成部２４０は、対象施設の状態情報に訓練状況情報を反映して、サイバー危機対応訓練に応じた対象施設の施設状況情報を生成することができる。
【００６６】
最後に、施設状況情報出力部２５０は、対象施設に相応する拡張現実イメージを用いて、施設状況情報を出力する。この時、施設状況情報出力部２５０は、訓練者端末、第１施設状況情報出力装置、第２施設状況情報出力装置の少なくともいずれか１つを用いて、施設状況情報を出力することができる。
【００６７】
施設状況情報出力部２５０は、施設状況情報に相応する仮想オブジェクトと、対象施設に相応する映像とを合成した拡張現実イメージを生成して出力したり、合成された拡張現実イメージを第１施設状況情報出力装置に伝送することができる。
【００６８】
そして、施設状況情報出力部２５０は、対象施設に含まれた物理的設備および制御設備の少なくともいずれか１つの情報を施設状況情報に相応するように出力したり、第２施設状況情報出力装置に伝送することができる。
【００６９】
施設状況情報出力部２５０は、対象施設に相応する映像を処理し、訓練者の視点および位置の少なくともいずれか１つを把握し、訓練状況情報、訓練者の視点および位置の少なくともいずれか１つを考慮して、対象施設に相応する仮想オブジェクトを生成することができる。また、施設状況情報出力部２５０は、生成された仮想オブジェクトを映像に合成して拡張現実イメージを生成することができる。
【００７０】
以下、図３および図４を通じて、本発明の一実施形態に係る拡張現実ベースのサイバー危機対応訓練提供装置によって行われるサイバー危機対応訓練提供方法についてより詳細に説明する。
【００７１】
図３は、本発明の一実施形態に係る拡張現実ベースのサイバー危機対応訓練提供方法を説明するためのフローチャートである。
【００７２】
まず、拡張現実ベースのサイバー危機対応訓練提供装置２００は、サイバー危機対応訓練の種類を設定する（Ｓ３１０）。
【００７３】
拡張現実ベースのサイバー危機対応訓練提供装置２００は、訓練者端末に提供するサイバー危機対応訓練の種類を設定する。ここで、サイバー危機対応訓練の種類は、サイバー危機対応訓練を実施する対象施設の種類を意味することができる。サイバー危機対応訓練を実施する対象施設は、電力、道路、鉄道、海洋、原子力、浄水施設などの国家基盤施設であってもよいし、種類はこれに限定されない。
【００７４】
そして、拡張現実ベースのサイバー危機対応訓練提供装置２００は、訓練者端末に訓練環境を提供する（Ｓ３２０）。
【００７５】
拡張現実ベースのサイバー危機対応訓練提供装置２００は、Ｓ３１０ステップで設定されたサイバー危機対応訓練の種類に相応する訓練環境を訓練者の訓練者端末に提供する。
【００７６】
サイバー危機対応訓練の種類が電力分野の場合、拡張現実ベースのサイバー危機対応訓練提供装置２００は、電力分野の対象施設に対するサイバー危機対応訓練環境を提供する。反面、サイバー危機対応訓練の種類が海洋分野の場合、拡張現実ベースのサイバー危機対応訓練提供装置２００は、海洋分野の対象施設に対するサイバー危機対応訓練環境を訓練者端末に提供することができる。
【００７７】
拡張現実ベースのサイバー危機対応訓練提供装置２００は、訓練者端末から対応を受信し（Ｓ３３０）、対応に相応する訓練状況情報を生成する（Ｓ３４０）。
【００７８】
拡張現実ベースのサイバー危機対応訓練提供装置２００は、サイバー危機対応訓練環境が提供された訓練者端末からサイバー危機対応訓練環境への対応を受信する。ここで、対応は、訓練者から受信したサイバー攻撃の探知および初動措置などを意味することができる。
【００７９】
そして、拡張現実ベースのサイバー危機対応訓練提供装置２００は、入力された対応に基づいて、訓練状況情報を生成する。拡張現実ベースのサイバー危機対応訓練提供装置２００は、訓練者端末に提供したサイバー危機対応訓練環境と訓練者端末から入力された対応に基づいて、現在の訓練状況が正常状況であるか、攻撃発生状況であるかを判断する。
【００８０】
また、拡張現実ベースのサイバー危機対応訓練提供装置２００は、現在の訓練状況が正常状況であるか、攻撃発生状況であるかに基づいて、訓練状況情報を生成することができる。
【００８１】
次に、拡張現実ベースのサイバー危機対応訓練提供装置２００は、対象施設の施設状況情報を生成する（Ｓ３５０）。
【００８２】
拡張現実ベースのサイバー危機対応訓練提供装置２００は、訓練者端末に提供されたサイバー危機対応訓練環境、Ｓ３４０ステップで生成した訓練状況情報およびサイバー危機対応訓練の対象となる対象施設の状態情報に基づいて、対象施設の施設状況情報を生成することができる。
【００８３】
拡張現実ベースのサイバー危機対応訓練提供装置２００は、物理的保護施設（対象施設）が存在する国家基盤施設や産業制御システムなどを対象にサイバー危機対応訓練環境を提供することができる。そして、対象施設は、モータ、ポンプなどの物理的設備と物理的設備を制御するＰＬＣなどの制御設備、制御設備をデジタル制御し、各種モニタリング情報を記録する情報システム設備から構成される。
【００８４】
例えば、サイバー危機対応訓練環境が電力分野であり、訓練状況情報が攻撃発生状況であり、対象施設がＰＬＣ、ＲＴＵ（Ｒｅｍｏｔｅ  Ｔｅｒｍｉｎａｌ  Ｕｎｉｔｓ）、ＦＥＰ（Ｆｒｏｎｔ  Ｅｎｄ  Ｐｒｏｃｅｓｓｏｒ）を含むと仮定する。この時、拡張現実ベースのサイバー危機対応訓練提供装置２００は、対象施設であるＰＬＣ、ＲＴＵおよびＦＥＰに攻撃発生状況の訓練状況情報を反映して、サイバー危機対応訓練に応じた対象施設の施設状況情報を生成することができる。
【００８５】
最後に、拡張現実ベースのサイバー危機対応訓練提供装置２００は、拡張現実イメージとして施設状況情報を出力する（Ｓ３６０）。
【００８６】
拡張現実ベースのサイバー危機対応訓練提供装置２００は、ゲストオペレーティングシステムが設けられた１つ以上の仮想マシンおよび仮想ネットワークに基づいて、訓練者にサイバー危機対応訓練の対象となる対象施設と類似の訓練環境を提供することができる。
【００８７】
拡張現実ベースのサイバー危機対応訓練提供装置２００は、サイバー危機対応訓練の実際性と効率を極大化させるために、物理的装置および拡張現実技術を用いて対象施設を表現することができる。
【００８８】
図４は、図３のＳ３６０ステップで施設状況情報を出力する方法を示す例示図である。
【００８９】
図４に示しているように、拡張現実ベースのサイバー危機対応訓練提供装置２００は、物理的対象施設４１０および拡張された対象施設４２０を出力して訓練者１０に提供することができる。
【００９０】
物理的対象施設４１０を出力する方法は、対象領域や対象工程を概念化して対象施設を表現する方法である。また、対象施設の装備を実際に小型に作製して表現したり、現実性のために実際対象施設の装備と駆動ロジッグに相応するように表現することができる。
【００９１】
拡張現実ベースのサイバー危機対応訓練提供装置２００は、訓練システム連携インタフェースを介して対象施設の状態情報を受信し、訓練の進行状況に応じた施設状況情報を共有することができる。
【００９２】
しかし、物理的装置を用いて物理的対象施設４１０を出力する方式は、空間制約などの諸制約事項によって小型化および単純化されて表現される。これによって、サイバー危機対応訓練の没入度が低下する。また、訓練の没入度のために高費用の実環境を無制限に実現することができない。
【００９３】
このような問題を補完するために、拡張現実ベースのサイバー危機対応訓練提供装置２００は、拡張現実技術を用いて拡張された対象施設４２０を出力することができる。これを通じて、拡張現実ベースのサイバー危機対応訓練提供装置２００は、訓練者が対象施設を実際と類似の形態および規模で体験できるようにし、サイバー危機対応訓練の効果を極大化することができる。
【００９４】
特に、拡張現実ベースのサイバー危機対応訓練提供装置２００は、物理的装置を用いて物理的対象施設４１０を表現する方式と、拡張現実技術を用いて拡張された対象施設４２０を表現する方式とを並行して、サイバー危機対応訓練の施設状況情報を出力することができる。
【００９５】
以下、図５を通じて、本発明の一実施形態に係る拡張現実ベースのサイバー危機対応訓練提供システムについてより詳細に説明する。
【００９６】
図５は、本発明の一実施形態に係る拡張現実ベースのサイバー危機対応訓練提供システムの動作を示すフローチャートである。
【００９７】
まず、サイバー危機対応訓練提供装置２００は、訓練者の組を分配する（Ｓ５１０）。
【００９８】
ここで、訓練者の組を分配する過程は、サイバー危機対応訓練の種類を設定する過程およびサイバー危機対応訓練を実施する対象施設を設定する過程の少なくともいずれか１つの過程を意味することができる。また、訓練者の組を分配する過程は、図３のＳ３１０ステップと実質的に同一であり得、重複する説明は省略する。
【００９９】
そして、サイバー危機対応訓練提供装置２００は、１つ以上の訓練者端末１００にサイバー危機対応訓練環境を提供する（Ｓ５２０）。ここで、サイバー危機対応訓練環境を提供する過程は、図３のＳ３２０ステップと実質的に同一であるので、重複する説明は省略する。
【０１００】
サイバー危機対応訓練環境が提供された訓練者端末１００は、訓練者に提供されたサイバー危機対応訓練環境を出力し、訓練者からサイバー攻撃の探知および措置などの対応を受信する（Ｓ５３０）。
【０１０１】
また、訓練者から対応を受信した訓練者端末１００は、サイバー危機対応訓練提供装置２００に訓練環境への対応を伝送する（Ｓ５４０）。サイバー危機対応訓練提供装置２００が訓練者端末１００から対応を受信する過程は、図３のＳ３３０ステップと実質的に同一であるので、重複する説明は省略する。
【０１０２】
サイバー危機対応訓練提供装置２００は、訓練状況情報を生成し（Ｓ５５０）、訓練状況情報に基づいて施設状況情報を生成して（Ｓ５６０）、１つ以上の施設状況情報出力装置３００に施設状況情報を伝送する（Ｓ５７０）。
【０１０３】
施設状況情報出力装置３００は、拡張現実技術を用いて拡張された対象施設を出力する施設状況情報出力装置を意味することができ、物理的対象施設を出力する施設状況情報出力装置をさらに含んでもよい。
【０１０４】
そして、サイバー危機対応訓練提供装置２００は、訓練環境および訓練者の対応に基づいて、訓練状況を判断して訓練状況情報を生成することができる。また、サイバー危機対応訓練提供装置２００は、対象施設の状態情報に訓練状況情報を反映して、サイバー危機対応訓練に応じた対象施設の施設状況情報を生成することができる。
【０１０５】
ここで、訓練状況情報を生成し、施設状況情報を生成して施設状況情報出力装置３００に伝送する過程は、図３のＳ３４０ステップ〜Ｓ３５０ステップと実質的に同一であるので、重複する説明は省略する。
【０１０６】
そして、施設状況情報出力装置３００は、施設状況情報に相応する拡張現実イメージを出力する（Ｓ５８０）。
【０１０７】
拡張された対象施設を出力する施設状況情報出力装置（第１施設状況情報出力装置）および物理的対象施設を出力する施設状況情報出力装置（第２施設状況情報出力装置）の少なくともいずれか１つの施設状況情報出力装置は、受信した施設状況情報を出力する。
【０１０８】
図６は、本発明の他の実施形態に係る拡張現実ベースのサイバー危機対応訓練提供システムの構成を示す例示図である。
【０１０９】
図６に示しているように、拡張現実ベースのサイバー危機対応訓練提供システム６００は、１つ以上の訓練者端末７００と、拡張現実ベースのサイバー危機対応訓練提供装置８００と、施設状況情報出力装置９００と、ネットワークインフラ１０００とを含む。
【０１１０】
拡張現実ベースのサイバー危機対応訓練提供装置８００は、１つ以上の訓練者端末７００にサイバー危機対応訓練環境を提供する。拡張現実ベースのサイバー危機対応訓練提供装置８００は、ゲストオペレーティングシステムが設けられた１つ以上の仮想マシン８１０および仮想ネットワーク８２０に基づいて、訓練者端末７００にサイバー危機対応訓練の対象となる対象施設と類似の訓練環境を提供することができる。
【０１１１】
仮想マシン８１０は、サイバー危機対応訓練時に活用される各種ＰＣ、サーバなどのシステム仮想マシンを意味し、サイバー危機対応訓練の種類または対象施設（対象領域）に応じて各種役割が割当てられて動作する。仮想ネットワーク８２０は、物理的スイッチから構成された実環境を仮想で構成して、ネットワークを構成できるようにする。
【０１１２】
拡張現実ベースのサイバー危機対応訓練提供装置８００は、制御設備を制御し、各種モニタリング情報を記録する情報システム設備と類似の訓練環境を提供することができる。そして、拡張現実ベースのサイバー危機対応訓練提供装置８００は、制御設備の制御に用いられる各種ＰＣ類、サーバ類、ネットワークを仮想で提供することができる。
【０１１３】
拡張現実ベースのサイバー危機対応訓練提供装置８００は、実際に構成された物理的ハードウェア８４０をベースとしてハイパーバイザ８３０を介して資源を分配して、多様なシステムが存在するかのように仮想で提供することができる。
【０１１４】
そして、拡張現実ベースのサイバー危機対応訓練提供装置８００は、訓練システム連携インタフェース８５０を介して施設状況情報出力装置９００の訓練システム連携インタフェース９１１と対象施設の状態情報および訓練の進行状況に応じた施設状況情報を共有することができる。
【０１１５】
訓練システム連携インタフェース８５０は、訓練者の対応に応じた訓練状況情報を第１出力装置９１０に伝送して、表現モジュールおよび制御システム設備が訓練状況情報に相応する動作を行うようにできる。また、訓練システム連携インタフェース８５０は、訓練者が着用した第２出力装置９２０に訓練状況情報を伝達して、正常状況および攻撃発生状況に関する拡張の基礎資料として活用できるようにする。
【０１１６】
施設状況情報出力装置９００は、１つ以上の出力装置９１０、９２０を含むことができる。第１出力装置９１０は、訓練システム連携インタフェース９１１を介して、拡張現実ベースのサイバー危機対応訓練提供装置８００から施設状況情報を受信して出力することができる。
【０１１７】
第１出力装置９１０の表現モジュールは、概念図、工程図などの対象領域を簡素化して表現し、制御システム設備は、実際の制御装置を小型化して表現することができる。この時、制御システム設備の制御状態に応じて、表現モジュールに効果が発生するように、表現モジュールと制御システム設備とは連動可能である。
【０１１８】
そして、第１出力装置９１０は、拡張現実技術を用いて拡張された対象施設を表現する方式で施設状況情報を出力することができる。また、第１出力装置９１０は、物理的装置を用いて物理的対象施設を表現する方式で施設状況情報を出力してもよい。この時、第１出力装置９１０は、訓練状況情報に基づいて、正常状況または攻撃発生状況（被害状況）に関する施設状況情報を出力することができる。
【０１１９】
第１出力装置９１０は、訓練状態連動モジュール９１５を介して第２出力装置９２０の訓練状態連動モジュール９２５に施設状況情報、拡張されたオブジェクトに関する情報などを伝送することができる。ここで、第２出力装置９２０は、拡張されたオブジェクトを確認し、サイバー危機対応訓練環境への対応を行うために、訓練者が着用する形態の出力装置を意味することができる。
【０１２０】
第２出力装置９２０は、眼鏡や帽子形態で着用する出力装置を意味することができ、訓練者が所持した端末であるか、固定された装置形態であってもよい。第２出力装置９２０は、ディスプレイモジュール、映像処理モジュール、拡張現実実現モジュール、拡張およびディスプレイモジュール、位置状態チェックモジュールを含み、訓練状態連動モジュールを介して第１出力装置９１０から施設状況情報を受信することができる。
【０１２１】
ディスプレイモジュールは、対象施設の周辺環境と拡張された仮想のオブジェクトを出力して訓練者に提供する。ディスプレイモジュールは、訓練状況情報に相応するように、正常状況または攻撃発生状況（被害状況）に対する対象施設の周辺環境および仮想のオブジェクトを拡張して出力することができる。
【０１２２】
そして、映像処理モジュールは、映像を処理して周辺環境を認識し、位置状態チェックモジュールは、訓練者の視点および位置情報などを把握し、拡張現実実現モジュールは、把握されたデータに基づいて仮想のオブジェクトを実現し、拡張およびディスプレイモジュールは、実現された仮想のオブジェクトをディスプレイモジュールを介して表現する。
【０１２３】
説明の便宜のために、第１出力装置９１０が訓練システム連携インタフェース９１１を介して拡張現実ベースのサイバー危機対応訓練提供装置８００と通信を行い、訓練状態連動モジュール９１５を介して第２出力装置９２０で施設状況情報を共有すると説明した。しかし、これに限定せず、第２出力装置９２０も、拡張現実ベースのサイバー危機対応訓練提供装置８００と直接通信して、対象施設の状態情報および訓練の進行状況に応じた施設状況情報を共有することができる。
【０１２４】
また、説明の便宜のために、第１出力装置９１０および第２出力装置９２０と名付けたが、第１出力装置９１０および第２出力装置９２０それぞれが図１の第１施設状況情報出力装置３１０および第２施設状況情報出力装置３２０を意味するのではない。
【０１２５】
このように、本発明の一実施形態に係る拡張現実ベースのサイバー危機対応訓練提供装置８００は、物理的保護施設を表現する施設状況情報出力装置９００と連動して、訓練者がサイバー危機対応訓練を実感あるように行えるようにする。
【０１２６】
従来のサイバー脅威に対する対応訓練は、一般的なＩＴシステムのサイバー脅威に対して扱うだけで、物理的保護施設が存在する領域に対するサイバー脅威は適切に表現することができなかった。しかし、本発明の一実施形態に係る拡張現実ベースのサイバー危機対応訓練提供システム６００は、拡張現実技術を適用して、物理的保護施設が存在する領域でのサイバー危機対応訓練を行えるようにし、拡張現実技術を適用して、訓練者の訓練没入度および訓練成果を極大化することができる。
【０１２７】
以上、本発明に係る拡張現実ベースのサイバー危機対応訓練提供装置および方法は、上記のように説明された実施形態の構成と方法が限定されて適用されるのではなく、上記の実施形態は多様な変形がなされるように各実施形態の全部または一部が選択的に組み合わされて構成されてもよい。
【符号の説明】
【０１２８】
１０：訓練者
１００：訓練者端末
２００：拡張現実ベースのサイバー危機対応訓練提供装置
２１０：訓練種類設定部
２２０：訓練環境提供部
２３０：対応入力部
２４０：施設状況情報生成部
２５０：施設状況情報出力部
３００：施設状況情報出力装置
３１０：第１施設状況情報出力装置
３２０：第２施設状況情報出力装置
４１０：物理的対象施設
４２０：拡張された対象施設
６００：拡張現実ベースのサイバー危機対応訓練提供システム
７００：訓練者端末
８００：拡張現実ベースのサイバー危機対応訓練提供装置
８１０：仮想マシン
８２０：仮想ネットワーク
８３０：ハイパーバイザ
８４０：ハードウェア
８５０：訓練システム連携インタフェース
９００：施設状況情報出力装置    
９１０：第１出力装置
９１１：訓練システム連携インタフェース
９１５、９２５：訓練状態連動モジュール
９２０：第２出力装置
１０００：ネットワークインフラ
【図１】
2019020702.tif 000003
【図２】
2019020702.tif 000004
【図３】
2019020702.tif 000005
【図４】
2019020702.tif 000006
【図５】
2019020702.tif 000007
【図６】
2019020702.tif 000008